(57)【要約】【課題】  本発明は、ベースバンド信号処理部における送信電力制御の処理量を低減し、構成を簡略にできる無線基地局を提供する。【解決手段】  ベースバンド信号処理部１において、電力制御部１３がスロットフォーマットにおける各種情報の制御電力値を定義する参照電力値データを生成してスロットフォーマットに対応したゲインフォーマットと共に出力し、拡散部１５がそれら参照電力値データとゲインフォーマットに基づいて電力制御の情報を生成して、変調部１４から入力される変調データを当該電力制御の情報により電力制御して拡散処理を行い、無線部２に出力する無線基地局である。【選択図】        図１
2008053927.tif 000002
【特許請求の範囲】
【請求項１】
スロットフォーマットにおける各種情報の制御電力値を定義する参照電力値データを生成して前記スロットフォーマットに対応したゲインフォーマットと共に出力する電力制御部と、
前記参照電力値データと前記ゲインフォーマットを入力し、それらに基づいて電力制御の情報を生成して、入力される変調データを当該電力制御の情報に従って電力制御して拡散処理を行う拡散部と、
を有するベースバンド信号処理部を備えたことを特徴とする無線基地局。
【発明の詳細な説明】
【技術分野】
【０００１】
本発明は、無線基地局に係り、特に、ベースバンド信号処理部における送信電力制御の処理量を低減し、構成を簡略にできる無線基地局に関する。
【背景技術】
【０００２】
一般的な無線基地局は、移動局との無線信号の入出力を行うアンテナと、アンテナから入力される信号の受信、またアンテナへ出力される信号の送信の処理を行う無線部と、受信信号のデータ処理又は送信データのデータ処理等を行うベースバンド信号処理部とから構成されている。
【０００３】
ベースバンド信号処理部は、無線部から入力された信号に対して、逆拡散、チップ同期、誤り訂正復号、データの多重分離等を行ってデータを取り出し、また、送信対象データを誤り訂正符号化、フレーム化、データ変調、変調拡散等を行ってアンテナに出力する。
【０００４】
更に、無線部から通知された信号の電力レベル等に応じて送信データの送信電力指定値等を取得し、当該送信電力指定値等で送信信号の電力制御を行うものである。
【０００５】
従来のベースバンド信号処理部と無線部について図６を参照しながら説明する。図６は、従来のベースバンド信号処理部と無線部の構成ブロック図である。
従来のベースバンド信号処理部と無線部は、図６に示すように、ベースバンド信号処理部１として、パラメータ展開部１１と、符号部１２と、電力制御部１３′と、変調部１４と、拡散部１５′を備え、アンテナを備えた無線部２を接続している。
尚、図６では、下り信号の処理に関する構成を示している。
【０００６】
パラメータ展開部１１は、送信データ（下り信号）を入力し、信号に含まれるパラメータを取得して展開し、電力制御に必要なパラメータを電力制御部１３′に出力する。
また、パラメータ展開部１１は、符号部１２に入力信号の種類を判別する制御データを出力する。
【０００７】
符号部１２は、入力された下り信号をパラメータ展開部１１から入力される制御データに従って誤り訂正符号化する。
電力制御部１３′は、パラメータ展開部１１から入力されるパラメータに従って送信データの電力制御の情報を拡散部１５′に出力する。
【０００８】
変調部１４は、符号部１２から出力された送信データを変調して拡散部１５′に出力する。
拡散部１５′は、変調部１４から出力された変調データを電力制御部１３′からの電力制御の情報により拡散処理を行い、拡散信号を無線部２に出力する。
【０００９】
無線部２は、拡散部１５′から出力された拡散信号をアンテナから送信するために所定の周波数の信号に変換してアンテナに出力する。
【００１０】
次に、従来の電力制御部１３′と拡散部１５′の動作について図７、図８を参照しながら説明する。図７は、伝送データ内容を示す図であり、図８は、従来のゲインフォーマットテーブルを示す図である。
【００１１】
電力制御部１３′は、図８に示すような、ゲインフォーマットテーブルを記憶しており、当該テーブルの内容に従って相当するスロットフォーマットデータ（２５６chipのデータ）に展開して、１６chip単位でデータ等を電力制御する情報（２Byte）を生成して、拡散部１５′に伝送する。
【００１２】
つまり、１６chip単位のデータ等を電力制御として１０ｄＢｍの電力値とする情報（電力制御情報）を送信する場合、２Byteの情報が必要であり、２５６chipのデータを送信する場合には、３２Byte（＝２Byte×１６）の情報が必要である。
【００１３】
下り送信電力は、３ＧＰＰＴＳ２５．２１１．５．３．２にあるように、１スロットに対してデータ、ＴＰＣ（送信電力制御：Transmit Power Control）、パイロット（Pilot）、ＴＦＣＩ（トランスポートフォーマット統合判別子：Transport Format Combination Indicator）の各フィールドが存在し、それぞれに電力が与えられる。
【００１４】
図８に示したのが、スロットフォーマット１４のときのゲインフォーマットテーブルである。図８では、例示としてスロットフォーマット１４を示したが、実際、スロットフォーマットは０〜１６Ａまで存在する。
【００１５】
図８において、１ワード（４Byte）は、１Ssym（２５６chip：Ssym＝６６・６μｓ）を表し、ＭＳＢ（最上位ビット：Most Significant Bit）から１Byteずつ、「後半チップの反復（iteration）回数」、「後半チップのフィールド情報」、「前半チップの反復回数」、「前半チップのフィールド情報」を表している。
尚、フィールド情報は、１がデータ、２がＴＰＣ、３がパイロット、４がＴＦＣＩとなっている。反復回数は１が１６chipを表している。
【００１６】
例えば、「0x04020C01」は、前半チップのフィールド情報が「01」であるから、「データ」であり、前半チップの反復回数が１６進で「0C」であるから、１０進で「１９２」（＝１６×１２）であり、後半チップのフィールド情報が「02」であるから、「ＴＰＣ」であり、後半チップの反復回数が１６進で「04」であるから、１０進で「６４」（＝１６×４）である。
従って、「0x04020C01」は、データフィールドが１９２chip続いた後に、ＴＰＣが６４chip続くことになる。
【００１７】
尚、基地局等の送信装置における電力制御に関する先行技術は、特開２００１−２０３５９１号公報（特許文献１）、特開２００２−７７１０３号公報（特許文献２）、特開２００３−１５２５９２号公報（特許文献３）、特開２００３−２６４８７１号公報（特許文献４）、特開２００５−１５９４９６号公報（特許文献５）、特開２００４−１５３５４号公報（特許文献６）がある。
【００１８】
【特許文献１】特開２００１−２０３５９１号公報
【特許文献２】特開２００２−７７１０３号公報
【特許文献３】特開２００３−１５２５９２号公報
【特許文献４】特開２００３−２６４８７１号公報
【特許文献５】特開２００５−１５９４９６号公報
【特許文献６】特開２００４−１５３５４号公報
【発明の開示】
【発明が解決しようとする課題】
【００１９】
しかしながら、上記従来の無線基地局におけるベースバンド信号処理部では、電力制御部と拡散部を専用線で接続し、ＤＳＰ（Digital Signal Processor）を例えば、１６個使用しているので、電力制御部にスロットフォーマットテーブルを保持させて当該テーブルに従ってデータの展開を行い、展開した電力制御のデータを拡散部に出力するようになっていた。
【００２０】
従って、電力制御部と拡散部を一般的なバスで接続し、ＤＳＰの個数も減らすような構成とすると、上記のような電力制御の方法では効率が悪いという問題点があった。
【００２１】
具体的には、ＤＳＰの個数を減らして処理量を少なくし、バス方式の帯域が狭くデータ伝送量が少ないハードウェア環境では、電力制御の処理効率がよくないものとなっていた。
【００２２】
本発明は上記実情に鑑みて為されたもので、ベースバンド信号処理部における送信電力制御の処理量を低減し、構成を簡略にできる無線基地局を提供することを目的とする。
【課題を解決するための手段】
【００２３】
上記従来例の問題点を解決するための本発明は、無線基地局において、スロットフォーマットにおける各種情報の制御電力値を定義する参照電力値データを生成してスロットフォーマットに対応したゲインフォーマットと共に出力する電力制御部と、参照電力値データとゲインフォーマットを入力し、それらに基づいて電力制御の情報を生成して、入力される変調データを当該電力制御の情報に従って電力制御して拡散処理を行う拡散部とを有するベースバンド信号処理部を備えたことを特徴とする。
【発明の効果】
【００２４】
本発明によれば、スロットフォーマットにおける各種情報の制御電力値を定義する参照電力値データを生成してスロットフォーマットに対応したゲインフォーマットと共に出力する電力制御部と、参照電力値データとゲインフォーマットを入力し、それらに基づいて電力制御の情報を生成して、入力される変調データを当該電力制御の情報に従って電力制御して拡散処理を行う拡散部とを有するベースバンド信号処理部を備えた無線基地局としているので、送信電力制御の処理量を低減し、構成を簡略にできる効果がある。
【発明を実施するための最良の形態】
【００２５】
本発明の実施の形態について図面を参照しながら説明する。
本発明の実施の形態に係る無線基地局は、ベースバンド信号処理部において、電力制御部がスロットフォーマットにおける各種情報の制御電力値を定義する参照電力値データを生成してスロットフォーマットに対応したゲインフォーマットと共に出力し、拡散部がそれらに基づいて電力制御の情報を生成して、変調部から入力される変調データを電力制御して拡散処理を行うものであり、ベースバンド信号処理部における送信電力制御の処理量を低減し、構成を簡略にできるものである。
【００２６】
本発明の実施の形態に係る無線基地局の構成は、基本的には従来の構成と同様であるが、本発明の実施の形態ではベースバンド信号処理部の構成が従来のものと相違している。
本発明の実施の形態に係る無線基地局（本基地局）のベースバンド信号処理部について図１を参照しながら説明する。図１は、本発明の実施の形態に係るベースバンド信号処理部と無線部の構成ブロック図である。尚、図６と同様の構成をとる部分については同一の符号を付して説明する。
【００２７】
本発明の実施の形態に係るベースバンド信号処理部は、図１に示すように、ベースバンド信号処理部１として、パラメータ展開部１１と、符号部１２と、電力制御部１３と、変調部１４と、拡散部１５を備え、アンテナを備えた無線部２を接続している。
尚、図１では、下り信号の処理に関する構成を示している。
【００２８】
パラメータ展開部１１は、例えば、ＲＮＣ（Radio Network Controller：無線基地局制御装置）から送信された送信データ（下り信号）を入力し、信号に含まれるパラメータを取得して展開し、電力制御に必要なパラメータを電力制御部１３に出力する。
また、パラメータ展開部１１は、符号部１２に入力信号の種類を判別する制御データを出力する。
【００２９】
符号部１２は、入力された下り信号をパラメータ展開部１１から入力される制御データに従って誤り訂正符号化する。
電力制御部１３は、パラメータ展開部１１から入力されるパラメータに従って送信データの電力制御の情報を参照電力値データ及びゲインフォーマットテーブルとして拡散部１５に出力する。
【００３０】
変調部１４は、符号部１２から出力された送信データを変調して拡散部１５に出力する。
拡散部１５は、電力制御部１３からの電力制御の情報の内、受信したゲインフォーマットテーブルからスロットフォーマットデータ（例えば、２５６chip分のデータ）を生成し、当該生成したスロットフォーマットデータを参照電力値データに基づいて電力制御を行うデータに展開し、変調部１４から出力された変調データを当該展開したデータにより拡散処理を行い、拡散信号を無線部２に出力する。
【００３１】
無線部２は、拡散部１５から出力された拡散信号をアンテナから送信するために所定の周波数の信号に変換してアンテナに出力する。
【００３２】
次に、本発明の実施の形態に係る電力制御部１３と拡散部１５の動作について図２を参照しながら説明する。図２は、本発明の実施の形態に係る伝送データ内容を示す図である。尚、図２〜５において、スロットフォーマット番号１４のスロットフォーマット及びゲインフォーマットについて説明している。
【００３３】
図２に示すように、電力制御部１３は、参照電力値データとゲインフォーマットデータを生成して拡散部１５に伝送する。
参照電力値データとは、スロットフォーマットにおける各種情報について制御電力値を定義したもので、具体的には、「データ」「ＴＰＣ」「ＴＦＣＩ」「Pilot」の各々の情報について電力値を２Byteで定義したものである。例えば、データは１０ｄＢｍ、ＴＰＣは９ｄＢｍ、ＴＦＣＩは８ｄＢｍ、Pilotは７ｄＢｍのように、パラメータ展開部１１から入力されたパラメータに応じて定められるものである。
【００３４】
また、電力制御部１３は、ゲインフォーマットテーブルのデータ（２５６chip分のスロットフォーマット）を生成して２Byteで拡散部１５に伝送する。
参照電力値データは８Byteで、ゲインフォーマットテーブルのデータが２Byteで、計１０Byteのデータ量となる。
【００３５】
次に、電力制御部１３の処理について図３を参照しながら説明する。図３は、電力制御部の処理を示すフローチャートである。
電力制御部１３は、図３に示すように、パラメータ展開部１１から１フレーム（１０ｍｓ）毎に個別チャネル（ＣＨ）のチップオフセット、スロットフォーマット、送信電力指定値等のパラメータを受け取り、当該パラメータを基に２５６chip毎の参照電力値データを生成する処理を行う（Ｓ１１）。
尚、電力制御は、２５６chipの内、１６chip単位で行うことができるものである。
【００３６】
そして、スロットフォーマット番号に応じて２Byteのゲインフォーマットテーブルを生成する処理を行う（Ｓ１２）。本実施の形態では、２Byteのゲインフォーマットテーブルを１０個作成することになる。
次に、電力制御部１３は、８Byteの参照電力値データと２Byteのゲインフォーマットテーブルを拡散部１５に出力処理を行う（Ｓ１３）。
【００３７】
次に、拡散部１５の処理について図４を参照しながら説明する。図４は、拡散部の処理を示すフローチャートである。
拡散部１５は、図４に示すように、電力制御部１３から出力された合計１０Byteのデータを入力する入力処理を行い（Ｓ２１）、入力されたデータを内部の記憶部に記憶する記憶処理を行う（Ｓ２２）。
【００３８】
拡散部１５は、入力されたデータからゲインフォーマットテーブルを取得し、当該ゲインフォーマットテーブルから相当するスロットフォーマットのデータ（２５６chipデータ）を生成する生成処理を行う（Ｓ２３）。
【００３９】
次に、生成したスロットフォーマットデータに対して参照電力値データを参照して電力制御の情報を生成する処理（電力制御情報生成処理）を行う（Ｓ２４）。
具体的には、図２に示した参照電力値データに従い、スロットフォーマットデータにおいて、データ部分は１０ｄＢｍ、ＴＰＣ部分は９ｄＢｍ、ＴＦＣＩ部分は８ｄＢｍ、Pilot部分は７ｄＢｍの電力値で電力制御されることを指示する電力制御の情報が生成される。
【００４０】
その後、拡散部１５は、変調部１４から入力される変調データを上記電力制御の情報に基づいて電力制御をして拡散処理し（Ｓ２５）、無線部２に出力する。
尚、図４の処理は、スロットフォーマットデータの２５６chip分しか行われていないので、この処理を計１０回行い、１スロットの処理を終了する。
【００４１】
具体的な電力制御部１３と拡散部１５の動作について図５を参照しながら説明する。図５は、本発明の実施の形態に係るゲインフォーマットテーブルの例を示す図である。
本発明の実施の形態に係るゲインフォーマットテーブルは、スロットフォーマット番号１４の場合に、図５に示すものとなる。
１ワード（２Byte）は、１Ssym（２５６chip）を表し、ＭＳＢから１Byteずつ、「no mean」、「前半チップの反復回数」、「後半チップのフィールド情報」、「前半チップのフィールド情報」となっている。
【００４２】
フィールド情報は、１がデータ、２がＴＰＣ、４がＴＦＣＩ、８がパイロットとなっている。反復回数は１が１６chipを表している。
【００４３】
例えば、「0x0C21」は、前半チップの反復回数が１６進で「C」であるから、１０進で「１９２」（＝１６×１２）であり、後半チップのフィールド情報が「2」であるから、「ＴＰＣ」であり、前半チップのフィールド情報が「1」であるから、「データ」であり、後半チップの反復回数は総チップ数（２５６chip）から前半チップの反復回数（１９２chip）を差し引いた、１０進で「６４」である。
従って、「0x0C21」は、データフィールドが１９２chip続いた後に、ＴＰＣが６４chip続くことになる。
【００４４】
上記実施の形態では、電力制御部１３が２５６chip単位に参照電力値データとゲインフォーマットをセットで出力しているが、その後出力される参照電力値データに変更がなければ、最初に出力した参照電力値データを利用してその後は参照電力値データの生成・出力を省略するようにすれば、電力制御部１３から拡散部１５へのデータ伝送量を大幅に低減できる。
【００４５】
本基地局によれば、ベースバンド信号処理部において、電力制御部１３でスロットフォーマットにおける各種情報の制御電力値を特定する参照電力値データを生成してスロットフォーマットに対応したゲインフォーマットと共に拡散部１５に出力し、拡散部１５でそれらに基づいて電力制御の情報を生成して変調部１４から入力される変調データを当該電力制御の情報により電力制御して拡散処理を行うようにしているので、ベースバンド信号処理部における送信電力制御の処理量を低減し、構成を簡略にできる効果がある。
【産業上の利用可能性】
【００４６】
本発明は、ベースバンド信号処理部における送信電力制御の処理量を低減し、構成を簡略にできる無線基地局に好適である。
【図面の簡単な説明】
【００４７】
【図１】本発明の実施の形態に係るベースバンド信号処理部と無線部の構成ブロック図である。
【図２】本発明の実施の形態に係る伝送データ内容を示す図である。
【図３】電力制御部の処理を示すフローチャートである。
【図４】拡散部の処理を示すフローチャートである。
【図５】本発明の実施の形態に係るゲインフォーマットテーブルの例を示す図である。
【図６】従来のベースバンド信号処理部と無線部の構成ブロック図である。
【図７】伝送データ内容を示す図である。
【図８】従来のゲインフォーマットテーブルを示す図である。
【符号の説明】
【００４８】
１…ベースバンド信号処理部、  ２…無線部、  １１…パラメータ展開部、  １２…符号部、  １３，１３′…電力制御部、  １４…変調部、  １５，１５′…拡散部
【図１】
2008053927.tif 000003
【図２】
2008053927.tif 000004
【図３】
2008053927.tif 000005
【図４】
2008053927.tif 000006
【図５】
2008053927.tif 000007
【図６】
2008053927.tif 000008
【図７】
2008053927.tif 000009
【図８】
2008053927.tif 000010